Podtech/llm-jp-corpus-v4-ja_patent huggingface dataset:
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
構造式Ｉ
【化１】
2011527679.tif 000001
の化合物、又はその薬学的に許容される塩、若しくは溶媒和化合物［式中、
ｎは、１、２、又は３から選択される整数であり、
Ｒ０は、Ｒ１であるか、Ｒ１−Ｚ１−であり、式中、Ｚ１は、アルキルであり、
Ｒ１は、
【化２】
2011527679.tif 000002
又は
【化３】
2011527679.tif 000003
であり、
式中、Ｘ１、Ｘ２、Ｘ３、及びＸ４は、それぞれ独立して、水素、ハロゲン、アルキル、アルコキシ、ＯＨ、トリハロメチル、又はＮＯ２であり；
Ｙ１は、ＯＨ、ハロゲン、又はＮＯ２であり；
Ｒ２は、アルキル、アルケニル、アルキニル、アルコキシ、アルキルアリール、ハロゲン、水素、ＯＨ、ＮＯ２、チオエーテル、アミン、ＳＨ、又はＮＨ２であり、
Ｒ３は、
【化４】
2011527679.tif 000004
であり、
式中、ｍ１は、１、２、３、又は４から選択される整数であり；
Ｘ５及びＸ６は、それぞれ独立して、水素、アルキル、アリール、アルコキシル、アリールオキシ、シクロアルキル、アラルキル、アルキルエステル、アルキルエステルアルキル、アルキルアセトキシル、ヒドロキシル又はヒドロキシルアルキルであり；
Ｚは、ＮＨ、Ｓ、又はＯであり；
Ｚ３は、アルキルであり；
Ｒ４は、ＣＮ、置換アミン、ＣＨ２Ｓ−アルキル、アルキル、又はＣＨ２Ｎ３であり；
Ｒ５及びＲ６は、それぞれ独立して、
【化５】
2011527679.tif 000005
単糖、多糖、単糖誘導体、置換アリール、非置換アリール、置換アルキルアリール、及び非置換アルキルアリール
からなる群から選択される］。
【請求項２】
請求項１に記載の化合物を活性成分として含有する、ＳＴＡＴ３仲介疾患あるいはＳＴＡＴ５仲介疾患治療のための医薬組成物。
【請求項３】
ｎが１で；
Ｒ０がＲ１で；
Ｘ１、Ｘ２、Ｘ３、及びＸ４は、それぞれ独立して、水素、ハロゲン、アルキル、アルコキシ、ＯＨ、トリハロメチル、又はＮＯ２であり；
Ｒ２は、水素であり；
Ｒ３は、
【化６】
2011527679.tif 000006
であり；
Ｘ５及びＸ６は、それぞれ独立して、水素、アルキル、シクロアルキル、アラルキル、アルキルエステル、アルキルエステルアルキル、アルキルアセトキシル、又はヒドロキシルアルキルであり；
Ｚは、ＮＨであり；
Ｒ４は、ＣＮである；
請求項１に記載の化合物。
【請求項４】
すくなくともＸ５及びＸ６の１つがアルキル、シクロアルキル、アラルキル、アルキルエステル、アルキルエステルアルキル、アルキルアセトキシル、又はヒドロキシルアルキルからなる群から選択される請求項３に記載の化合物。
【請求項５】
すくなくともＸ１、Ｘ２、Ｘ３、及びＸ４の１つがハロゲンである、請求項３に記載の化合物。
【請求項６】
Ｒ１は、
【化７】
2011527679.tif 000007
である、請求項４に記載の化合物。
【請求項７】
Ｘ１は、ハロゲンであり；
Ｘ２、Ｘ３、及びＸ４は、それぞれ独立して、水素、ハロゲン、アルキル、アルコキシ、ＯＨ、トリハロメチル、又はＮＯ２であり；
Ｘ５及びＸ６は、それぞれ独立して、水素、シクロプロピル又は−ＣＨ３である；
請求項６に記載の化合物。
【請求項８】
Ｘ１は、Ｂｒ又はＣｌであり；
Ｘ２、Ｘ３、及びＸ４は、それぞれ水素である；
請求項６に記載の化合物。
【請求項９】
Ｘ５及びＸ６は、それぞれ独立して、水素、シクロプロピル又は−ＣＨ３である請求項８に記載の化合物。
【請求項１０】
【化８】
2011527679.tif 000008
からなる群から選択される、請求項８に記載の化合物。
【請求項１１】
以下の構造式
【化９】
2011527679.tif 000009
を持つ化合物である、請求項１０に記載の化合物。
【請求項１２】
以下の構造式
【化１０】
2011527679.tif 000010
を持つ化合物である、請求項１０に記載の化合物。
【請求項１３】
活性成分として請求項３に記載の化合物を含有する、ガン、増殖性の血管新生症状、増殖性の皮膚の病状、中枢神経系疾患、炎症性病状、及び自己免疫疾患から選択される症状の治療のための医薬組成物。
【請求項１４】
前記癌が、白血病、ＨＴＬＶ−１依存性白血病、赤白血病、急性骨髄性白血病、慢性骨髄性白血病、大型顆粒リンパ球白血病、リンパ腫、バーキット白血病、菌状息肉腫、皮膚Ｔ細胞リンパ腫、非ホジキンリンパ腫、未分化大細胞リンパ腫、乳癌、頭頚部癌、黒色腫、卵巣癌、肺癌、膵臓癌、前立腺癌、膀胱癌、高度の神経膠腫、脳転移、皮膚癌、結腸癌、骨髄異形成症候群、及び多発性骨髄腫からなる群から選択される、請求項１３に記載の医薬組成物。
【請求項１５】
前記癌が、皮膚Ｔ細胞リンパ腫である、請求項１４に記載の医薬組成物。
【請求項１６】
前記増殖性の血管新生症状が、毛細血管拡張症、静脈性血管腫、血管芽細胞腫及び真性赤血球増加症からなる群から選択される、請求項１３に記載の医薬組成物。
【請求項１７】
前記増殖性の皮膚の病状が、局所的な皮膚炎、乾癬、及び酒さからなる群から選択される、請求項１３に記載の医薬組成物。
【請求項１８】
前記増殖性の皮膚の病状が、乾癬である、請求項１７に記載の医薬組成物。
【請求項１９】
前記中枢神経系疾患が、多発性硬化症及び進行性多巣性白質脳症からなる群から選択される、請求項１３に記載の医薬組成物。
【請求項２０】
前記炎症性病状が、変形性関節症、関節リウマチ、クローン病及び潰瘍性大腸炎からなる群から選択される、請求項１３に記載の医薬組成物。
【請求項２１】
前記自己免疫疾患が、ループスである、請求項１３に記載の医薬組成物。
【請求項２２】
薬理学的に許容できる担体と共に、請求項３に記載の化合物を含む医薬組成物。
【請求項２３】
局所用医薬組成物である請求項２２に記載の医薬組成物。
【請求項２４】
薬理学的に許容できる担体と共に、請求項１１に記載の化合物を含む医薬組成物。
【請求項２５】
局所用医薬組成物である請求項２４に記載の医薬組成物。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
式Ｉ：
【化１】
2011527678.tif 000001
（式中、Ｒ１、Ｒ２、Ｒ３及びＲ４は、それぞれ独立に、Ｈ、ＣＯＣＨ３、ＣＯＣＨ２ＣＨ３、又はＣＯＣＨ２ＣＨ３ＣＨ３であり；Ｒ５及びＲ６は、それぞれ独立に、Ｈ又はＦ（１８Ｆ若しくは１９Ｆ）である）の１種若しくは複数の化合物又は、その塩若しくはエステルの治療有効量を含む、患者において癌を治療するための医薬組成物。
【請求項２】
式Ｉ：
【化２】
2011527678.tif 000002
（式中、Ｒ１、Ｒ２、Ｒ３及びＲ４は、それぞれ独立に、Ｈ、ＣＯＣＨ３、ＣＯＣＨ２ＣＨ３、又はＣＯＣＨ２ＣＨ３ＣＨ３であり；Ｒ５及びＲ６は、それぞれ独立に、Ｈ又はＦ（１８Ｆ若しくは１９Ｆ）である）の１種若しくは複数の化合物又は、その塩若しくはエステルの治療有効量を含む、患者において解糖を阻害するための医薬組成物。
【請求項３】
構造式：
【化３】
2011527678.tif 000003
の化合物。
【請求項４】
構造式：
【化４】
2011527678.tif 000004
の化合物。
【請求項５】
構造式：
【化５】
2011527678.tif 000005
の化合物。
【請求項６】
構造式：
【化６】
2011527678.tif 000006
の化合物。
【請求項７】
構造式：
【化７】
2011527678.tif 000007
の化合物。
【請求項８】
構造式：
【化８】
2011527678.tif 000008
の化合物。
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
粒状物質を上方取り出しするための流動床析出反応器の作動方法において、
所定の高さの垂直な略円筒形の反応器であって、底部又は底部付近の少なくとも１つの気体用の入口と、頂部又は頂部付近の少なくとも１つの気体及び固体用の出口と、を有する、反応器を設けるステップと、
粒状生成物から気体を分離するための少なくとも１つの分離器、及び、前記気体及び固体用の出口と前記少なくとも１つの分離器との間の導管を設けるステップと、
加熱された反応領域を設定するステップと、
流動気体を前記反応領域に所定の流量で供給するステップと、
所望の流動床を設定するために粒状粒子を前記反応領域に供給するステップであって、前記粒子は可変の流動高さを有し、安定した高さに画定された頂部を有する泡立つ流動床となるように前記床は流動化され、前記頂部の上には分離用空間が設けられ、前記分離用空間の高さは前記泡立つ床の前記画定された頂部と容器の前記気体及び固体用の出口との距離よりも大きくない、ステップと、
泡立ちを維持している間に前記粒状粒子の大部分が前記反応器内に保持されるように、前記流動気体の前記流量を調節している間に気体を前記反応領域に供給するステップであって、前記反応気体は前記粒状粒子にコーティングを被覆することにより、前記粒子の大きさ及び重さを増大させて前記床の高さを上げる、ステップと、
前記床の高さを上げて、前記床の表面付近での泡の破裂が粒状粒子を前記反応器の前記気体及び固体用の出口から、前記導管に沿って前記気体及び粒状生成物の分離器内まで、定期的に放り出すようになるまで分離する高さを下げる、ステップとを有し、
前記流動気体及び前記反応気体の前記流量は、前記床が安定した高さになるように制御されている、流動床析出反応器の作動方法。
【請求項２】
前記粒状生成物を前記気体から分離しながら熱を回収するステップであって、１つ又は複数の熱回収システムと組み合わされた１つ又は複数の生成物分離器を用いことを含む、ステップをさらに含んだ請求項１に記載の作動方法。
【請求項３】
粒状生成物取り出しのための少なくとも１つの手段が、前記反応器の前記底部にも設けられている、請求項１に記載の作動方法。
【請求項４】
前記熱回収手段の内の少なくとも１つは、熱回収ボイラへの放射によるものである、請求項２に記載の作動方法。
【請求項５】
少なくとも１つの前記分離器は、異なる平均粒子寸法の粒子を含む１つ以上の生成物の流れをもたらす、請求項２に記載の作動方法。
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
下式を有する化合物であって、
【化１】
2011527699.tif 000001
式中、Ｘ１、Ｘ２、Ｘ３は、同じであっても異なっていてもよく、それぞれ、水素又はヒドロキシ保護基から選択される化合物。
【請求項２】
Ｘ３が水素である、請求項１に記載の化合物。
【請求項３】
Ｘ１が水素である、請求項１に記載の化合物。
【請求項４】
Ｘ１、Ｘ２、Ｘ３がすべてｔ−ブチルジメチルシリルである、請求項１に記載の化合物。
【請求項５】
下式を有する、２−メチレン−１９，２６−ジノル−（２０Ｓ，２２Ｅ，２５Ｒ）−１α，２５−ジヒドロキシビタミンＤ３。
【化２】
2011527699.tif 000002
【請求項６】
請求項１又は５に記載の化合物の少なくとも一つの有効量を、医薬的に許容される賦形剤とともに含有する、医薬組成物。
【請求項７】
前記有効量が、前記組成物１ｇあたり約０．０１μｇ〜約１０００μｇを含み、また好ましくは、前記組成物１ｇあたり約０．１μｇ〜約５００μｇを含む、請求項６に記載の医薬組成物。
【請求項８】
乾癬を治療するための医薬組成物であって、有効量の下式を有する化合物を含み、
【化３】
2011527699.tif 000003
式中、Ｘ１、Ｘ２、Ｘ３は、同じであっても異なっていてもよく、それぞれ、水素又はヒドロキシ保護基から選択される医薬組成物。
【請求項９】
白血病、結腸癌、乳癌、皮膚癌又は前立腺癌からなる群より選択される疾患を治療するための医薬組成物であって、有効量の下式を有する化合物を含み、
【化５】
2011527699.tif 000004
式中、Ｘ１、Ｘ２、Ｘ３は、同じであっても異なっていてもよく、それぞれ、水素又はヒドロキシ保護基から選択される医薬組成物。
【請求項１０】
多発性硬化症、ループス、糖尿病、移植片対宿主拒絶反応、臓器移植の拒絶反応からなる群より選択される自己免疫疾患を治療するための医薬組成物であって、有効量の下式を有する化合物を含み、
【化７】
2011527699.tif 000005
式中、Ｘ１、Ｘ２、Ｘ３は、同じであっても異なっていてもよく、それぞれ、水素又はヒドロキシ保護基から選択される医薬組成物。
【請求項１１】
関節リウマチ、喘息、炎症性腸疾患からなる群より選択される炎症性疾患を治療するための医薬組成物であって、有効量の下式を有する化合物を含み、
【化９】
2011527699.tif 000006
式中、Ｘ１、Ｘ２、Ｘ３は、同じであっても異なっていてもよく、それぞれ、水素又はヒドロキシ保護基から選択される医薬組成物。
【請求項１２】
しわ、十分な皮膚の堅さが失われること、十分な皮膚の水分が失われること、不十分な皮脂分泌からなる群より選択される皮膚の状態を治療するための医薬組成物であって、有効量の下式を有する化合物を含み、
【化１１】
2011527699.tif 000007
式中、Ｘ１、Ｘ２、Ｘ３は、同じであっても異なっていてもよく、それぞれ、水素又はヒドロキシ保護基から選択される医薬組成物。
【請求項１３】
腎性骨ジストロフィーを治療するための医薬組成物であって、有効量の下式を有する化合物を含み、
【化１３】
2011527699.tif 000008
式中、Ｘ１、Ｘ２、Ｘ３は、同じであっても異なっていてもよく、それぞれ、水素又はヒドロキシ保護基から選択される医薬組成物。
【請求項１４】
動物の肥満を治療するか、又は予防する、脂肪細胞の分化を阻害する、ＳＣＤ−１遺伝子の転写を阻害する、及び／又は体脂肪を減らすための医薬組成物であって、有効量の下式を有する化合物を含み、
【化１５】
2011527699.tif 000009
式中、Ｘ１、Ｘ２、Ｘ３は、同じであっても異なっていてもよく、それぞれ、水素又はヒドロキシ保護基から選択される医薬組成物。
【請求項１５】
前記化合物の投与方法が、経口投与、非経口投与、経皮投与、直腸投与、経鼻投与、舌下投与からなる群より選択される、請求項８〜１４の何れか１項に記載の医薬組成物。
【請求項１６】
前記化合物の投与方法が局所投与である、請求項８又は１２に記載の医薬組成物。
【請求項１７】
前記化合物が、約０．０１μｇ／日〜約１０００μｇ／日の用量で包含される、請求項８〜１４の何れか１項に記載の医薬組成物。
【請求項１８】
前記化合物が、下式を有する、２−メチレン−１９，２６−ジノル−（２０Ｓ，２２Ｅ，２５Ｒ）−１α，２５−ジヒドロキシビタミンＤ３である、請求項８〜１４の何れか１項に記載の医薬組成物。
【化１６】
2011527699.tif 000010
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
式：
【化１】
2011527694.tif 000001
［式中、Ｒ１はＳ−Ａｌｋ−Ｒであり、ここに、Ａｌｋはアルキレンまたはアルキレニル連結であり、Ｒは−Ｎ＝Ｃ（ＮＲ３Ｒ４）（ＮＲ５Ｒ６）または−ＮＲ７［（ＮＲ３Ｒ４）Ｃ＝ＮＲ５］または−Ｎ＝Ｃ（Ｒ８）（ＮＲ９Ｒ１０）であり、ここに、Ｒ３〜Ｒ１０はＨ、Ａｌｋ、Ａｒまたは（ＣＨ２）ｎＡｒであり、ここに、Ａｒはアリール基であり、ｎは１〜１３の整数であるか、あるいはＲ３およびＲ４、またはＲ４およびＲ５、またはＲ５およびＲ７、またはＲ３およびＲ７、またはＲ９およびＲ１０、またはＲ８およびＲ９は、一緒になって−（ＣＨ２）ｘ−であってもよく、ここに、ｘは２〜５の整数であり、Ｒ２は、ヒドロキシル、低級アルキルおよびヒドロキシル−置換低級アルキルからなる群から選択される］
で示される化合物。
【請求項２】
Ｒ１がメチレンまたはＣ２〜Ｃ６ポリメチレン連結である、請求項１記載の化合物。
【請求項３】
Ｒ１がＣ３〜Ｃ６アルケニレニル連結である、請求項１記載の化合物。
【請求項４】
Ｒが−Ｎ＝Ｃ（ＮＲ３Ｒ４）（ＮＲ５Ｒ６）または−ＮＲ７Ｃ（ＮＲ３）（Ｃ＝ＮＲ５）であり、ここに、Ｒ３−Ｒ７がＨ、Ａｌｋ、Ａｒまたは（ＣＨ２）ｎＡｒであり、ここに、Ａｒがアリール基であり、ｎが１〜１３の整数であるか、あるいはＲ３およびＲ４、またはＲ４およびＲ５、またはＲ５およびＲ７、またはＲ３およびＲ７は、一緒になって−ＣＨ２−ＣＨ２−または−ＣＨ２−ＣＨ２−ＣＨ２−であってもよい、請求項１記載の化合物。
【請求項５】
３−置換ジアミノイミノアルキルチオシクロスポリンＡ誘導体である、請求項１記載の化合物。
【請求項６】
（（Ｒ）−（ジアミノ）イミノアルキルチオ−Ｓａｒ）３−（４’−ヒドロキシ−ＭｅＬｅｕ）４シクロスポリンＡ誘導体、（（Ｒ）−（アルキル）（ジアルキルアミノ）イミノアルキルチオ−Ｓａｒ）３−（４’−ヒドロキシ−ＭｅＬｅｕ）４−シクロスポリンＡ、（（Ｒ）−（アルキル）（ジアルキルアミノ）イミノアルキルチオ−Ｓａｒ）３−シクロスポリンＡ誘導体および（（Ｒ）−（ジアミノ）イミノアルキルチオ−Ｓａｒ）３−シクロスポリンＡ誘導体からなる群から選択される、請求項１記載の化合物。
【請求項７】
Ｒ１が−Ｓ（ＣＨ２）２Ｎ＝Ｃ（ＮＨ２）２であり、Ｒ２が−ＣＨ２ＣＨ（ＣＨ３）２、−ＣＨ２Ｃ（ＯＨ）（ＣＨ３）２、−ＣＨ（ＣＨ３）２または−ＣＨ（ＣＨ３）ＣＨ２ＣＨ３である請求項１記載の化合物。
【請求項８】
水分欠乏ドライアイ状態、ブドウ膜炎もしくは水晶体過敏性眼内炎を、眼への局所投与によって処置するため、または亀頭炎、乾癬もしくはアトピー性皮膚炎を、皮膚への局所投与によって処置するための医薬組成物であって、請求項１〜７のいずれかに記載の化合物を有効成分として含有する組成物。
【請求項９】
医薬上許容される賦形剤中に０．１〜２０ｗｔ％の前記化合物を含有する、請求項８記載の組成物。
【請求項１０】
医薬上許容される賦形剤が、動物油および植物油からなる群から選択される、請求項９記載の組成物。
【請求項１１】
医薬上許容される賦形剤が、オリーブ油、ラッカセイ油、ヒマシ油、鉱油、ワセリン、ジメチルスルホキシド、アルコール、シリコーン溶液およびそれらの混合物からなる群から選択される、請求項９記載の組成物。
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
自動透析機械（１０４）であって、
少なくとも１つのポンプと、
複数の治療処方を格納する論理インプリメンタであって、前記複数の治療処方によって、前記少なくとも１つのポンプを動作させ、各治療処方は、特定の患者に対して事前承認される、論理インプリメンタと、
入力デバイスであって、前記入力デバイスは、前記論理インプリメンタとともに動作することにより、前記患者または医師／臨床医が特定の治療に対する前記治療処方のうちの１つを選択することを可能にする、入力デバイスと
を含む、自動透析機械（１０４）。
【請求項２】
前記治療処方は、標準の限外濾過（「ＵＦ」）処方、低ＵＦ処方、高ＵＦ処方を含む、請求項１に記載の自動透析機械（１０４）。
【請求項３】
前記治療処方は、それぞれ、日中処置および夜間処置のうちの少なくとも１つに対する詳細を規定する、請求項１〜２のいずれか一項に記載の自動透析機械（１０４）。
【請求項４】
それぞれの処置に対する前記詳細は、
（ｉ）総処置量、
（ｉｉ）処置の充填ごとの容量、
（ｉｉｉ）処置に対する交換数、
（ｉｖ）処置時間、または、
（ｖ）処置に用いられる透析液のデキストロースパーセント
のうちの少なくとも１つを含む、請求項３に記載の自動透析機械（１０４）。
【請求項５】
前記治療処方は、それぞれ、少なくとも１つの予測される治療結果を記述する、請求項１〜４のいずれか一項に記載の自動透析機械（１０４）。
【請求項６】
前記予測される治療結果は、
（ｉ）除去された尿素、
（ｉｉ）クリアされたクレアチニン、
（ｉｉｉ）尿素Ｋｔ／Ｖ、
（ｉｖ）限外濾過除去、
（ｖ）吸収されたグルコース、
（ｖｉ）定常状態の尿素、または、
（ｖｉｉ）定常状態のクレアチニン
のうちの少なくとも１つを含む、請求項５に記載の自動透析機械（１０４）。
【請求項７】
前記入力デバイスは、前記論理インプリメンタとともに動作することにより、前記患者または医師／臨床医が、複数の日のそれぞれに対して治療処方のうちの１つを選択することと、複数の選択のうちの１つについての臨床医または医師による承認を要求することとを可能にする、請求項１〜６のいずれか一項に記載の自動透析機械（１０４）。
【請求項８】
期間を含み、前記期間において、前記複数の処方のうちの第１の処方は、特定回数用いられ、前記複数の処方のうちの第２の処方は、特定回数用いられる、請求項１〜７のいずれか一項に記載の自動透析機械（１０４）。
【請求項９】
自動腹膜透析（「ＡＰＤ」）システム（１０）であって、
ＡＰＤ機械（１０４）と、
複数の治療処方を格納する論理インプリメンタであって、前記複数の治療処方によって、前記ＡＰＤ機械（１０４）を動作させ、各治療処方は、前記ＡＰＤ機械（１０４）によって処置される特定の患者に対して事前承認される、論理インプリメンタと、
入力デバイスであって、前記入力デバイスは、前記論理インプリメンタとともに動作することにより、前記患者または医師／臨床医が前記ＡＰＤ機械（１０４）上で実行される前記治療処方のうちの１つを選択または承認することを可能にする、入力デバイスと
を含む、ＡＰＤシステム（１０）。
【請求項１０】
前記論理インプリメンタは、前記ＡＰＤ機械（１０４）と通信するサーバコンピュータにおいて配置される、請求項９に記載のＡＰＤシステム（１０）。
【請求項１１】
前記患者または前記医師／臨床医に前記治療処方を選択するように促すために生成される警告を含む、請求項９または１０に記載のＡＰＤシステム（１０）。
【請求項１２】
前記警告は、前記ＡＰＤ機械（１０４）において生成され、前記論理インプリメンタに送信される、請求項９〜１１のいずれか一項に記載のＡＰＤシステム（１０）。
【請求項１３】
前記警告は、前記ＡＰＤ機械（１０４）から前記論理インプリメンタに送信されたデータに基づいて、前記論理インプリメンタにおいて生成される、請求項９〜１１のいずれか一項に記載のＡＰＤシステム（１０）。
【請求項１４】
前記警告は、腹膜透析性能特性の動向に基づいて生成される、請求項９〜１３のいずれか一項に記載のＡＰＤシステム（１０）。
【請求項１５】
前記治療処方は、標準の限外濾過（「ＵＦ」）処方、低ＵＦ処方、高ＵＦ処方を含む、請求項９〜１４のいずれか一項に記載のＡＰＤシステム（１０）。
【請求項１６】
前記論理インプリメンタは、前記患者または前記医師／臨床医が、複数の連続する日の間に、前記ＡＰＤ機械（１０４）上で実行される前記治療処方のうちの１つ以上を選択または承認することを可能にするように構成されている、請求項９〜１５のいずれか一項に記載のＡＰＤシステム（１０）。
【請求項１７】
前記論理インプリメンタは、前記患者からの実行されるべき提案された処方を受け入れることと、前記医師／臨床医が、前記提案された処方を承認または非承認することを可能にすることとを可能にするように構成されている、請求項９〜１６のいずれか一項に記載のＡＰＤシステム（１０）。
【請求項１８】
ビデオモニタは、治療動向を表示するように、前記論理インプリメンタとともに動作可能であり、前記患者または前記医師／臨床医は、前記動向に基づいて、前記治療処方のうちの１つを選択または承認する、請求項９〜１７のいずれか一項に記載のＡＰＤシステム（１０）。
【請求項１９】
自動腹膜透析（「ＡＰＤ」）システム（１０）であって、
ＡＰＤ機械（１０４）と、
複数の治療処方を格納する論理インプリメンタであって、前記複数の治療処方によって、前記ＡＰＤ機械（１０４）を動作させ、各治療処方は、前記ＡＰＤ機械（１０４）によって処置される特定の患者に対して事前承認される、論理インプリメンタと
を含み、
前記論理インプリメンタは、前記ＡＰＤ機械（１０４）上で実行される前記治療処方のうちの１つを選択または提案するようにプログラムされる、ＡＰＤシステム（１０）。
【請求項２０】
前記論理インプリメンタは、前記ＡＰＤ機械（１０４）上で実行される前記処方のうちの提案された１つについての臨床医／医師からの承認を要求するようにプログラムされている、請求項１９に記載のＡＰＤシステム（１０）。
【請求項２１】
前記論理インプリメンタは、前記ＡＰＤ機械（１０４）に提供されるか、または、前記ＡＰＤ機械（１０４）の遠隔にある、請求項１９に記載のＡＰＤシステム（１０）。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
外科的処置において選択的に組織を切除および／または凝固させるための電気外科器具またはシステムであって、前記電気外科器具は切除モードと凝固モードとを切り換え可能であり、
近位端部分と遠位端部分とを有する細長いプローブと、
前記細長いプローブの前記遠位端部分上に配置された第１の電極であって、前記切除モードでの動作時に組織を切除するように寸法設定および構成された、第１の電極と、
前記遠位端部分上に配置され、前記第１の電極から電気的に絶縁された凝固電極であって、単独または前記第１の電極の動作と組み合わせて、前記凝固モードでの動作時に組織を凝固させるように寸法設定および構成された、凝固電極と、
前記第１の電極および前記凝固電極に電気的に結合されたユーザが操作可能な入力構成要素であって、前記切除モードと前記凝固モードとのユーザが選択可能な切り換えをもたらす、ユーザが操作可能な入力構成要素と
を備え、
前記切除モードでは前記入力構成要素は前記第１の電極に選択的に電力を供給し、前記凝固モードでは前記入力構成要素は少なくとも前記凝固電極と任意選択で前記第１の電極とに選択的に電力を供給し、前記凝固モードで動作するときには、前記切除モードでの動作に比べてより大きな大きさの電極表面積が活動化されることを特徴とする電気外科器具またはシステム。
【請求項２】
前記凝固モードでは、前記入力構成要素は使用可能電力の第１の部分を前記第１の電極に供給し、使用可能電力の第２の部分を前記凝固電極に供給し、それによって前記電気外科器具が前記凝固モードにある間は前記第１の電極を凝固のために構成することを特徴とする請求項１に記載の電気外科器具またはシステム。
【請求項３】
前記遠位端部分内の吸引内腔であって、前記凝固電極によって取り囲まれた開口を有する、吸引内腔をさらに備え、前記第１の電極および前記凝固電極は、絶縁材料によって分離された同心の表面であることを特徴とする請求項１に記載の電気外科器具またはシステム。
【請求項４】
前記第１の電極および／または前記凝固電極は、それぞれが絶縁材料によって分離された複数の互いに異なる表面積を備えることを特徴とする請求項１に記載の電気外科器具またはシステム。
【請求項５】
前記凝固モードにおいて活動化される前記より大きな大きさの電極表面積は、前記切除モードにおけるよりも少なくとも１０％大きく、好ましくは前記切除モードにおけるよりも少なくとも２５％大きいことを特徴とする請求項１に記載の電気外科器具またはシステム。
【請求項６】
患者の身体の外部部分に取り付けるように寸法設定および構成されたリターン電極をさらに備え、前記細長いプローブは単極式であることを特徴とする請求項１に記載の電気外科器具またはシステム。
【請求項７】
前記細長いプローブは両極式であり、前記細長いプローブは、その前記遠位端部分上に配置され前記細長いプローブのための電力源への電気的リターンをもたらすリターン電極を備えることを特徴とする請求項１に記載の電気外科器具またはシステム。
【請求項８】
ユーザが操作可能な前記入力構成要素はフットペダルであり、または前記細長いプローブの前記近位端部分に組み込まれたスイッチであることを特徴とする請求項１に記載の電気外科器具またはシステム。
【請求項９】
電気外科器具を動作させる方法であって、
（ｉ）近位端部分と遠位端部分とを有する細長いプローブからなる電気外科器具を用意するステップであって、前記遠位端部分は第１の電極と凝固電極とを含み、前記電気外科器具はユーザが凝固モードと切除モードとを選択することを可能にする、ユーザが操作可能なスイッチをさらに含む、ステップと、
（ｉｉ）前記電気外科器具をＲＦ発電機に結合するステップであって、前記ＲＦ発電機は前記電気外科器具に電力を供給する、ステップと、
（ｉｉｉ）ユーザが操作可能な前記入力構成要素を用いて前記電気外科器具の前記切除モードを選択し、前記電気外科器具を前記切除モードで動作させるステップであって、前記切除モードでは患者内の組織の切除を生じるのに十分な電力が前記第１の電極に供給される、ステップと、
（ｉｖ）ユーザが操作可能な前記スイッチを用いて前記電気外科器具の前記凝固モードを選択し、前記電気外科器具を前記凝固モードで動作させるステップであって、前記凝固モードでは、前記患者の組織の凝固を生じるのに十分な電力が前記凝固電極に供給され、前記凝固モードで動作するときは、前記切除モードで動作するのと比べてより大きな大きさの電極表面積が活動化される、ステップと
を含むことを特徴とする方法。
【請求項１０】
前記電気外科器具を前記凝固モードで動作させる前記ステップは、ＲＦ発電機からの電力の一部分を前記第１の電極に供給し、前記電力の第２の部分を前記凝固電極に供給するステップをさらに含むことを特徴とする請求項９に記載の方法。
【請求項１１】
前記ＲＦ発電機の電力は、１５０Ｗから６００Ｗの範囲であり、好ましくは約２００Ｗから約４００Ｗの範囲であることを特徴とする請求項９に記載の方法。
【請求項１２】
前記ＲＦ発電機によって発生される電力は、前記凝固モードにおいて前記第１の電極および凝固電極が共に活動化されるときは、ステップ（ｉｉｉ）におけるよりもステップ（ｉｖ）における方が大きく、凝固モードにおいて前記凝固電極だけが活動化されるときは、ステップ（ｉｖ）におけるよりもステップ（ｉｉｉ）における方が大きいことを特徴とする請求項９に記載の方法。
【請求項１３】
前記第１の電極および前記凝固電極は、絶縁材料によって分離された同心の表面であることを特徴とする請求項９に記載の方法。
【請求項１４】
前記凝固モードにおいて活動化される前記より大きな大きさの電極表面積は、前記切除モードにおけるよりも少なくとも１０％大きいことを特徴とする請求項９に記載の方法。
【請求項１５】
前記電気外科器具を前記切除モードで動作させる間に、前記細長いプローブ内の内腔を通して流体を吸引するステップをさらに含むことを特徴とする請求項９に記載の方法。
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
ウォータースクリーンまたはコンベアベルトに用いるのに適した成形プラスチックモジュールであって、当該モジュールが、第１および第２の縦方向端部と、当該第１および第２の縦方向端部に形成され、横方向の第１および第２の回転軸をそれぞれ規定するヒンジ要素と、前記第１および前記第２の縦方向端部間に延在する上面と、当該上面に形成された複数の突出部とを含み、各突出部はそこに形成される複数の流体を流す開口を有し、前記モジュールがワンピースとして成型されていることを特徴とする成形プラスチックモジュール。
【請求項２】
請求項１に記載のモジュールにおいて、前記突出部の少なくとも１つが、前記モジュールの横方向に見たとき、前記突出部の幅にわたって一定である輪郭を有することを特徴とするモジュール。
【請求項３】
請求項１に記載のモジュールにおいて、前記突出部の少なくとも１つが、前記モジュールを横方向に見たとき、前記突出部の幅にわたって変化する輪郭を有することを特徴とするモジュール。
【請求項４】
請求項１に記載のモジュールにおいて、各突出部が、上面と、前記突出部の少なくとも一部にわたって前記上面と平行である下面とを有することを特徴とするモジュール。
【請求項５】
請求項１に記載のモジュールにおいて、前記複数の突出物が各々、前記第１および前記第２の回転軸を通る平面に関して傾斜面を有し、当該傾斜面は、少なくとも１つの前記流体を流す開口を含むことを特徴とするモジュール。
【請求項６】
請求項１に記載のモジュールにおいて、前記モジュールの上面の高さが、前記第１および前記第２の回転軸を通る平面に関して、少なくとも５ｍｍ変化することを特徴とするモジュール。
【請求項７】
請求項１に記載のモジュールにおいて、前記流体を流す開口が、前記モジュールの縦方向に細長いスロットを含むことを特徴とするモジュール。
【請求項８】
請求項７に記載のモジュールにおいて、前記スロットが、０．５ｍｍ乃至４ｍｍの幅を有することを特徴とするモジュール。
【請求項９】
請求項７に記載のモジュールにおいて、複数の前記スロットが、２つの前記突出部の間に連続的に延在することを特徴とするモジュール。
【請求項１０】
請求項１に記載のモジュールにおいて、複数の前記流体を流す開口が、前記モジュールの高さを通って途中まで延在することを特徴とするモジュール。
【請求項１１】
請求項１に記載のモジュールにおいて、前記モジュールの上面が、少なくとも１５％の開口領域を有することを特徴とするモジュール。
【請求項１２】
請求項１に記載のモジュールが、各突出部の下に形成され、複数の前記流体を流す開口と前記モジュールの底部とに流体連通しているプレナムを含むことを特徴とするモジュール。
【請求項１３】
請求項１に記載のモジュールにおいて、前記突出部が、前記上面に形成される複数の非閉塞の流体を流す開口を有することを特徴とするモジュール。
【請求項１４】
請求項１に記載のモジュールにおいて、前記突出部の壁厚が、前記第１および前記第２のヒンジ軸を通る平面に対して測定した場合、前記モジュールの高さより低い領域を含むことを特徴とするモジュール。
【請求項１５】
請求項１に記載のモジュールにおいて、前記流体を流す開口が、前記突出部を前記モジュールの縦方向に延在する複数の平行フィンに分割していることを特徴とするモジュール。
【請求項１６】
請求項１のモジュールの１またはそれ以上が列をなして、共に回転可能に連結されたウォタークリーンにおいて、１の列に沿った前記第１のヒンジ要素が、隣接する列に沿った前記第２のヒンジ要素の間に嵌合してヒンジ継手を形成し、これにより隣接する列が共に連結され、かつ前記嵌合した第１および第２のヒンジ要素の整列した第１および第２の回転軸に沿って、それらが互いに関して回転可能となることを特徴とするウォータースクリーン。
【請求項１７】
請求項１のモジュールの１またはそれ以上が列をなして、共に回転可能に連結された有孔コンベアベルトにおいて、１の列に沿った前記第１のヒンジ要素が、隣接する列に沿った前記第２のヒンジ要素の間に嵌合してヒンジ継手を形成し、これにより隣接する列が共に連結され、かつ前記嵌合した第１および第２のヒンジ要素の整列した第１および第２の回転軸に沿って、それらが互いに関して回転可能となることを特徴とする有孔コンベアベルト。
【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
レーザ・ビーム加工によって構造を形成し、または改変する方法であって、
構造を形成し、または改変するためにレーザから試料に向かってレーザ・ビームを誘導すること、
前記レーザ・ビームの入射に起因する前記試料からの放出物を検出すること、
前記試料に特有の前記放出物のある特性を決定すること、および
前記レーザ・ビームが入射している材料が変化したことを前記放出物が示しているときに、前記レーザ・ビーム加工を変更すること
を含む方法。
【請求項２】
前記レーザ・ビーム加工を変更することが、ガス流量を変えること、パルスあたりのフルエンスなどのレーザ・パラメータを変えること、電子またはイオン・ビームをブランキングすること、あるいは前記試料を支持しているステージを動かすことを含む、請求項１に記載の方法。
【請求項３】
前記試料に向かって前記レーザ・ビームを誘導することが、５０ミリバール未満の圧力を有する環境中で前記試料に向かって前記レーザ・ビームを誘導することを含む、請求項１に記載の方法。
【請求項４】
前記放出物のある特性を決定することが、前記試料から放出された電子電流を決定することを含む、請求項１に記載の方法。
【請求項５】
前記放出物のある特性を決定することが、前記試料から放出された電子あるいは光子のエネルギーを決定することを含む、請求項１に記載の方法。
【請求項６】
前記放出物のある特性を決定することが、前記試料から放出された特性波長を有する光子を検出することを含む、請求項１に記載の方法。
【請求項７】
前記放出物のある特性を決定することが、前記表面から放出された粒子の質量を決定することを含む、請求項１に記載の方法。
【請求項８】
前記表面から放出された粒子の質量を決定する前にレーザ・ビームを使用してあるいは電子ビームを使用して中性粒子をイオン化することをさらに含む、請求項７に記載の方法。
【請求項９】
前記試料に向かって前記レーザ・ビームを誘導することが、１ピコ秒未満のパルス持続時間を有するパルス・レーザを前記試料に向かって誘導することを含む、請求項１に記載の方法。
【請求項１０】
前記放出物のある特性を決定することが、狭帯域検出器を使用して、指定された特性を有する放出物だけを検出することを含む、請求項１に記載の方法。
【請求項１１】
試料上に構造を形成する方法であって、
構造を形成し、または改変するために試料に向かってレーザ・ビームを誘導すること、
前記試料に向かって荷電粒子ビームを誘導すること、
前記荷電粒子ビームの入射に起因する前記試料からの放出物を検出すること、
前記試料に特有の前記放出物のある特性を決定すること、および
前記レーザ・ビームが入射している材料が変化したことを前記放出物が示しているときに、前記レーザ・ビーム加工を変更すること
を含む方法。
【請求項１２】
前記レーザ・ビームと前記粒子ビームが同時に試料に入射する、請求項１１に記載の方法。
【請求項１３】
前記レーザ・ビームと前記粒子ビームが連続的に試料に入射する、請求項１１に記載の方法。
【請求項１４】
前記荷電粒子ビームが電子ビームである、請求項１１に記載の方法。
【請求項１５】
前記荷電粒子ビームの入射に起因する前記試料からの放出物を検出することが、２次電子、後方散乱電子または透過電子を検出することを含む、請求項１１または請求項１４に記載の方法。
【請求項１６】
前記荷電粒子ビームが電子ビームであり、前記荷電粒子ビームの入射に起因する前記試料からの放出物を検出することが、（Ｘ線を含む）光子を検出することを含む、請求項１１に記載の方法。
【請求項１７】
前記荷電粒子ビームが電子ビームであり、前記試料からの放出物を検出することが、表面よりも下方の材料からの放出物を検出することを含む、請求項１１に記載の方法。
【請求項１８】
前記荷電粒子ビームがイオン・ビームである、請求項１１に記載の方法。
【請求項１９】
試料を形成し、または改変するシステムであって、
試料を保持する試料ホルダと、
前記試料に向かってレーザ・ビームを誘導する高速パルス・レーザと、
前記レーザ・ビームの衝突に起因する前記試料からの放出物であり、前記試料に特有の放出物を検出する検出器と
を備えるシステム。
【請求項２０】
前記放出物の検出器が電子検出器、質量分析器または光子検出器を含む、請求項１９に記載のシステム。
【請求項２１】
荷電粒子またはレーザ・ビームが衝突したときに前記試料から放出された２次粒子によって前記レーザ・システム・レンズが損傷することを防ぐために、前記２次粒子を前記レーザ・システム・レンズからそらす偏向器をさらに備える請求項１９に記載の装置。
【請求項２２】
前記放出物のある特性を決定することが、前記放出物のエネルギー・スペクトルを決定することを含む、請求項１〜２１のいずれかに記載の方法。
【請求項２３】
前記試料が第２の材料を覆う第１の材料を含み、
レーザからのレーザ・ビームを誘導することが前記第１の材料を除去することを含み、
前記放出物のある特性を決定することが、いつ前記第１の材料が除去されたかを決定することを含む、請求項１または請求項１１に記載の方法。
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
圧延機において高温の圧延された製品を冷却する際に使用するための装置において、
第１の軸線に沿って連なって配置された複数のノズルが設けられており、該ノズルが、ベース部分とトップ部分とに分割されており、該トップ部分が、閉鎖位置と開放位置との間で調節可能であり、前記トップ部分が、前記閉鎖位置において、前記製品が搬送される管状の囲いを形成するように前記ベース部分と協働し、
前記複数のノズルに共通の、前記第１の軸線に対して平行に延びたクランプ支持体が設けられており、
前記クランプ支持体によって支持されたクランプ部材が設けられており、
前記開放位置への前記トップ部分の調節を提供するために前記クランプ部材が前記トップ部分から同時に分離される開放セッティングと、前記トップ部分が前記閉鎖位置を占めかつ前記クランプ部材が前記トップ部分と接触して該トップ部分を前記閉鎖位置へ押し付けるために同時に働かされる閉鎖セッティングとの間で前記クランプ支持体を調節するための操作アセンブリが設けられており、
前記ノズルに冷却液を供給するための供給アセンブリが設けられていることを特徴とする、圧延機において高温の圧延された製品を冷却する際に使用するための装置。
【請求項２】
前記クランプ部材が、前記トップ部分を前記閉鎖位置へ弾性的に押し付けるための手段を有している、請求項１記載の装置。
【請求項３】
前記トップ部分が、前記第１の軸線に対して平行な第２の軸線を中心にして前記閉鎖位置と前記開放位置との間で回動により調節可能である、請求項１記載の装置。
【請求項４】
前記クランプ支持体が、前記第１及び第２の軸線に対して平行な第３の軸線を中心にして回動可能なトルクシャフトを有している、請求項３記載の装置。
【請求項５】
前記トップ部分を前記トルクシャフトに結合するためのリンクアセンブリが設けられており、前記操作手段が、前記トルクシャフトを前記開放セッティングと前記閉鎖セッティングとの間で回動により調節するように働き、前記リンク手段が、前記開放セッティングと前記閉鎖セッティングとの間での前記トルクシャフトの回転に応じて前記トップ部分を開閉させるように働く、請求項４記載の装置。
【請求項６】
前記ノズルが、前記第１、第２及び第３の軸線に対して平行な第４の軸線を中心にして回動により調節可能なカバーを有するハウジング内に収容されており、前記アーム部材が前記トルクシャフトから半径方向に突出しており、前記アーム部材が、前記カバーを前記第４の軸線を中心にして開放位置と閉鎖位置との間で回動により調節するように、前記開放セッティングと前記閉鎖セッティングとの間での前記トルクシャフトの回転中に前記カバーと係合可能である、請求項５記載の装置。
【請求項７】
前記操作アセンブリが、前記トルクシャフトに機械的に連結されたリニアアクチュエータを含む、請求項４記載の装置。
【請求項８】
前記クランプ支持体が、前記開放セッティングと前記閉鎖セッティングとの間で鉛直方向に調節可能である、請求項１記載の装置。
【請求項９】
前記トップ部分が、前記第１の軸線に対して平行な第２の軸線を中心にして前記閉鎖位置と前記開放位置との間で回動により調節可能である、請求項２記載の装置。
【請求項１０】
前記クランプ支持体が、前記開放セッティングと前記閉鎖セッティングとの間で鉛直方向に調節可能である、請求項２記載の装置。
【請求項１１】
圧延機において高温の圧延された製品を冷却する際に使用するための装置において、
第１の軸線に沿って連なって配置された複数のノズルが設けられており、該ノズルが、ベース部分とトップ部分とに分割されており、トップ部分が、第１の軸線に対して平行な第２の軸線を中心にして閉鎖位置と開放位置との間で調節可能であり、前記トップ部分が、前記閉鎖位置において、前記製品が搬送される管状の囲いを形成するように前記ベース部分と協働し、
前記第１及び第２の軸線に対して平行な第３の軸線を中心にして回動可能なトルクシャフトが設けられており、
クランプ支持体によって支持されたクランプ部材が設けられており、
前記トップ部分を前記トルクシャフトに結合するためのリンク手段が設けられており、
前記クランプ部材が前記トップ部分から分離されかつ前記トップ部分が前記開放位置へ調節可能な開放セッティングと、前記トップ部分が前記閉鎖位置を占めかつ前記クランプ部材が前記トップ部分と接触して該トップ部分を前記閉鎖位置へ押し付けるために同時に働かされる閉鎖セッティングとの間で前記トルクシャフトを回動により調節するための操作手段が設けられており、
前記ノズルを包囲しかつ、前記第１、第２及び第３の軸線に対して平行な第４の軸線を中心にして回動により調節可能なカバーを有するハウジングが設けられており、前記アーム部材が前記トルクシャフトから半径方向に突出しており、前記アーム部材が、前記カバーを前記第４の軸線を中心にして開放位置と閉鎖位置との間で回動により調節するように、前記開放セッティングと前記閉鎖セッティングとの間での前記トルクシャフトの回転中に前記カバーと係合可能であり、
前記ノズルに冷却液を供給するための手段が設けられていることを特徴とする、圧延機において高温の圧延された製品を冷却する際に使用するための装置。
【請求項１２】
高温の製品を冷却する際に使用するための装置において、
第１の軸線に沿って連なって配置された複数のノズルが設けられており、該複数のノズルのそれぞれが、ベース部分とトップ部分とに分割されており、該トップ部分が、閉鎖位置と開放位置との間で調節可能であり、前記トップ部分が、閉鎖位置において、前記製品が搬送される管状の囲いを形成するように前記ベース部分と協働し、
閉鎖位置においてトップ部分をベース部分に固定するようになっておりかつさらに閉鎖位置に固定して維持するために正確な締付力をトップ部分に加えるようになっている調節システムが設けられており、前記複数のノズルに共通の、前記第１の軸線に対して平行に延びたクランプ支持体と、該クランプ支持体によって支持されたクランプ部材とが設けられていることを特徴とする、高温の製品を冷却する際に使用するための装置。
【請求項１３】
前記複数のノズルに冷却液を供給するための供給アセンブリが設けられている、請求項１２記載の装置。
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
膜上にドーパミンを堆積させてポリドーパミン被覆膜を形成するステップ
を含み、前記ポリドーパミン被覆膜が、非改質膜よりも高い水フラックス及び増加した膜表面親水性を有する、膜汚染を減少させる方法。
【請求項２】
ポリドーパミン被覆膜の純水フラックスが、非改質膜のフラックスの０〜９９％を含む、請求項１に記載の方法。
【請求項３】
ポリドーパミン被覆膜の純水フラックスが、非改質膜のフラックスの８０〜９０％を含む、請求項１に記載の方法。
【請求項４】
ドーパミンが、ハロゲン、ヒドロキシル基、低級アルキル基、低級アルコキシ基、単環式アリール、低級アシル基及びこれらの組合せの付加から選択される１又は２以上の置換を含む、請求項１〜３のいずれかに記載の方法。
【請求項５】
膜が、ＲＯ膜、ＵＦ膜、ＮＦ膜又はこれらの組合せを含む、請求項１〜４のいずれかに記載の方法。
【請求項６】
ポリドーパミン被覆膜が、以下のポリメチルメタクリレート、ポリスチレン、ポリカーボネート、ポリイミド、エポキシ樹脂、環式オレフィンコポリマー、環式オレフィンポリマー、アクリレートポリマー、ポリエチレンテレフタレート、ポリフェニレンビニレン、ポリエーテルエーテルケトン、ポリ（Ｎ−ビニルカルバゾール）、アクリロニトリル−スチレンコポリマー、又はポリエーテルイミドポリ（フェニレンビニレン）のうちの１又は２以上を含む、請求項１〜５のいずれかに記載の方法。
【請求項７】
ドーパミンが、ＲＯＯＨ、ＲＯＳＨ、ＲＳＳＨ、ＯＨ、ＳＯ３Ｈ、ＳＯ３Ｒ、ＳＯ４Ｒ、ＣＯＯＨ、ＮＨ２、ＮＨＲ、ＮＲ２、ＣＯＮＨ２、及びＮＨ−−ＮＨ２（式中、Ｒは、飽和又は不飽和の少なくとも１個の炭素系環を形成することができる、直鎖状又は分岐状炭化水素系鎖；アルキレン、シロキサン、シラン、エーテル、ポリエーテル、チオエーテル、シリレン、及びシラザンを示す）から選択される１又は２以上の官能基を含む、請求項１〜６のいずれかに記載の方法。
【請求項８】
ポリドーパミン被覆膜が、１又は２以上のポリスルホン、スチレンとアクリロニトリルポリ（アリーレンオキシド）とのコポリマー、ポリカーボネート、酢酸セルロース、ポリスルホン；ポリ（スチレン）、スチレン含有コポリマー、アクリロニトリルスチレンコポリマー、スチレン−ブタジエンコポリマー、スチレン−ビニルベンジルハライドコポリマー；ポリカーボネート；セルロースポリマー、酢酸セルロース−ブチレート、プロピオン酸セルロース、エチルセルロース、メチルセルロース、ニトロセルロース、ポリアミド、ポリイミド、アリールポリアミド、アリールポリイミド、ポリエーテル、ポリ（アリーレンオキシド）、ポリ（フェニレンオキシド）、ポリ（キシレンオキシド）；ポリ（エステルアミド−ジイソシアネート）、ポリウレタン、ポリエステル（ポリアリーレートを含む）、ポリ（エチレンテレフタレート）、ポリ（アルキルメタクリレート）、ポリ（アクリレート）、ポリ（フェニレンテレフタレート）、ポリスルフィド、ポリ（エチレン）、ポリ（プロピレン）、ポリ（ブテン−１）、ポリ（４−メチルペンテン−１）、ポリビニル、ポリ（塩化ビニル）、ポリ（フッ化ビニル）、ポリ（塩化ビニリデン）、ポリ（フッ化ビニリデン）、ポリ（ビニルアルコール）、ポリ（ビニルエステル）、ポリ（酢酸ビニル）、ポリ（プロピオン酸ビニル）、ポリ（ビニルピリジン）、ポリ（ビニルピロリドン）、ポリ（ビニルエーテル）、ポリ（ビニルケトン）、ポリ（ビニルアルデヒド）、ポリ（ビニルホルマール）、ポリ（ビニルブチラール）、ポリ（ビニルアミド）、ポリ（ビニルアミン）、ポリ（ビニルウレタン）、ポリ（ビニル尿素）、ポリ（ビニルホスフェート）、ポリ（ビニルサルフェート）、ポリアリル；ポリ（ベンゾベンズイミダゾール）、ポリヒドラジド、ポリオキサジアゾール、ポリトリアゾール、ポリ（ベンズイミダゾール）、ポリカルボジイミド、ポリホスファジン及びこれらの組合せを含む、請求項１〜７のいずれかに記載の方法。
【請求項９】
ポリドーパミン被覆膜に１又は２以上の第２のコーティングを施すステップをさらに含む、請求項１〜８のいずれかに記載の方法。
【請求項１０】
ポリドーパミン被覆膜に１又は２以上の親水性コーティングを施すステップをさらに含む、請求項１〜９のいずれかに記載の方法。
【請求項１１】
浄化膜と、
前記浄化膜上に堆積されてポリドーパミン被覆膜を形成するポリドーパミン層であって、前記ポリドーパミン層が前記浄化膜の親水性を増加させ、前記ポリドーパミン被覆膜が高い水フラックスを有する、ポリドーパミン層と、
分離された液体を収容するために前記ポリドーパミン被覆膜の異なる面に位置付けられた、１又は２以上の容器と
を備える液体分離装置。
【請求項１２】
疎水性浄化膜と、
前記疎水性浄化膜と接触して、非改質疎水性膜よりも高い水フラックス及び高い親水性を有するポリドーパミン被覆疎水性浄化膜を形成する、ポリドーパミン層と、
前記ポリドーパミン層と接触して、複数層の疎水性−ポリドーパミン−親水性浄化膜を形成する、親水性コーティングと
を備える浄化膜。
【請求項１３】
ポリマーマトリックス浄化膜と、
浄化膜上に堆積されて、非改質膜よりも高い水フラックス及び高い親水性を有する芳香族ジヒドロキシ及びアミン被覆浄化膜を形成する、芳香族ジヒドロキシ及びアミン含有モノマーと
を備える浄化膜。
【請求項１４】
ポリマーマトリックス浄化膜と、
前記浄化膜上に堆積されて、非改質膜よりも高い水フラックス及び高い親水性を有するポリドーパミン被覆浄化膜を形成する、ポリドーパミン層と
を備える浄化膜。
【請求項１５】
従来型浄化膜の改質のためのポリドーパミン被覆浄化膜システムであって、
供給タンク内に配置されたドーパミン溶液と、
前記供給タンクに接続され、前記ドーパミン溶液を移動させて高い膜間圧を提供する、ポンプと、
前記ポンプを膜に接続して前記ドーパミン溶液を前記膜上に堆積させるための、膜入口接続部と、
前記膜を前記供給タンクに接続して前記ドーパミン溶液を前記供給タンクに戻すための、膜出口接続部と
を備える、ポリドーパミン被覆浄化膜システム。